【手続補正書】
【提出日】平成16年8月26日(2004.8.26)
【手続補正１】
【補正対象書類名】明細書
【補正対象項目名】特許請求の範囲
【補正方法】変更
【補正の内容】
【特許請求の範囲】
【請求項１】
中央処理装置とマスタ側ディスク装置をファイバーケーブルで接続し、前記マスタ側ディスク装置とリモート側ディスク装置を前記ファイバーケーブルで接続し、前記マスタ側ディスク装置にヘッダ変換回路を有するデータ保証システムであって、前記中央処理装置から前記マスタ側ディスク装置に発行された書き込み処理のフレームを前記マスタ側ディスク装置内で処理し、前記処理に並行して、前記フレームを前記ヘッダ変換回路を用いて前記リモート側ディスク装置送信用に変換し、変換された前記フレームを前記マスタ側ディスク装置から前記リモート側ディスク装置に発行し、前記中央処理装置から前記マスタ側ディスク装置への書き込み処理と前記リモート側ディスク装置への書き込み処理を並行して行うことを特徴とするデータ保証システム。
【請求項２】
請求項１記載のデータ保証システムにおいて、前記中央処理装置から受領した書き込み処理の前記フレームを一旦格納するヘッダ変換バッファと前記フレームのヘッダ部を変換するヘッダ変換制御部から構成されるヘッダ変換回路を用いて前記リモート側ディスク装置送信用に前記フレームを変換し、変換された前記フレームを前記マスタ側ディスク装置から前記リモート側ディスク装置に発行し、前記中央処理装置から前記マスタ側ディスク装置への書き込み処理と前記リモート側ディスク装置への書き込み処理を並行して行うことを特徴とするデータ保証システム。
【請求項３】
請求項１または２記載のデータ保証システムにおいて、ファイバーチャネルプロトコルを用いて前記中央処理装置から前記マスタ側ディスク装置に発行された書き込み処理の前記フレームを前記マスタ側ディスク装置内で処理し、前記処理に並行して、前記ヘッダ変換回路を用いて前記リモート側ディスク装置送信用に前記フレームを変換し、変換された前記フレームを前記ファイバーチャネルプロトコルを用いて前記マスタ側ディスク装置から前記リモート側ディスク装置に発行し、前記中央処理装置から前記マスタ側ディスク装置への書き込み処理と前記リモート側ディスク装置への書き込み処理を並行して行うことを特徴とするデータ保証システム。
【請求項４】
請求項１、２、３のいずれか１項記載のデータ保証システムにおいて、前記中央処理装置と前記マスタ側ディスク装置と前記リモート側ディスク装置間を双方向のデータ転送、多重処理を行うインターフェイスを用いて接続し、前記中央処理装置から前記マスタ側ディスク装置に発行された書き込み処理の前記フレームを、前記マスタ側ディスク装置内で処理し、前記処理に並行して、前記ヘッダ変換回路を用いて前記リモート側ディスク装置送信用に前記フレームを変換し、変換された前記フレームを前記マスタ側ディスク装置から前記リモート側ディスク装置に発行し、前記中央処理装置から前記マスタ側ディスク装置への書き込み処理と前記リモート側ディスク装置への書き込み処理を並行して行うことを特徴とするデータ保証システム。
【請求項５】
請求項１、２、３、４のいずれか１項記載のデータ保証システムにおいて、一つまたは複数の前記中央処理装置と前記マスタ側ディスク装置間、及び、前記マスタ側ディスク装置と一つまたは複数の前記リモート側ディスク装置間にディレクタ装置を介在させ、前記ディレクタ装置と前記マスタ側ディスク装置を同一物理ケーブルで接続することを特徴とするデータ保証システム。
【請求項６】
請求項１、２、３、４のいずれか１項記載のデータ保証システムにおいて、複数の前記中央処理装置を前記マスタ側ディスク装置に接続することを特徴とするデータ保証システム。
【請求項７】
請求項１、２、３、４のいずれか１項記載のデータ保証システムにおいて、前記マスタ側ディスク装置を複数の前記リモートディスク装置に接続することを特徴とするデータ保証システム。
【請求項８】
一つまたは複数の中央処理装置とマスタ側ディスク装置をファイバーケーブルで接続し、前記マスタ側ディスク装置と一つまたは複数のリモート側ディスク装置を前記ファイバーケーブルで接続し、前記マスタ側ディスク装置にヘッダ変換回路を有するデータ保証システムであって、
前記ヘッダ変換回路は、前記中央処理装置から受領した書き込み処理のフレームを一旦格納するヘッダ変換バッファと、前記フレームのヘッダ部を変換するヘッダ変換制御部とから構成され、
前記中央処理装置と前記マスタ側ディスク装置と前記リモート側ディスク装置間を双方向のデータ転送、多重処理を行うインターフェイスを用いて接続し、
一つまたは複数の前記中央処理装置と前記マスタ側ディスク装置間、及び、前記マスタ側ディスク装置と一つまたは複数の前記リモート側ディスク装置間にディレクタ装置を介在させ、前記ディレクタ装置と前記マスタ側ディスク装置を同一物理ケーブルで接続し、
ファイバーチャネルプロトコルを用いて、前記中央処理装置から前記マスタ側ディスク装置に発行された書き込み処理の前記フレームを前記マスタ側ディスク装置内で処理し、前記処理に並行して、前記フレームを前記ヘッダ変換回路を用いて前記リモート側ディスク装置送信用に変換し、変換された前記フレームを前記マスタ側ディスク装置から前記リモート側ディスク装置に発行し、前記中央処理装置から前記マスタ側ディスク装置への書き込み処理と前記リモート側ディスク装置への書き込み処理とを並行して行い、
前記中央処理装置と前記マスタ側ディスク装置との間、及び前記マスタ側ディスク装置と前記リモート側ディスク装置との間におけるデータ転送を並行して行い、
前記中央処理装置からの受信と前記リモート側ディスク装置への送信とを同一ポートで行う
ことを特徴とするデータ保証システム。
【手続補正２】
【補正対象書類名】明細書
【補正対象項目名】００１３
【補正方法】変更
【補正の内容】
【００１３】
ＣＰＵはこれを受けてレコード１のＷＲＵＰＤのデータフレーム（WRUPD#1 DATA）をＭＣＵに対して送信する（２１２）。ＭＣＵはこれを受けたタイミングでディスク駆動装置の当該トラックのレコード１から書き込みがあることを示すコマンドフレーム（WR CMD）をＲＣＵに対して送信する（２５１）。
【手続補正３】
【補正対象書類名】明細書
【補正対象項目名】図面の簡単な説明
【補正方法】変更
【補正の内容】
【図面の簡単な説明】
【図１】  ファイバープロトコルを用いたリモートコピーシステムの構成を示す図である。
【図２】  ＥＳＣＯＮプロトコル上でのＣＰＵとＭＣＵ間の動作シーケンス及び、ＭＣＵからＲＣＵ側へのデータ転送タイミングと動作シーケンスを示す図である。
【図３】  フレームの受信からの全体的な処理フローを示した図である。
【図４】  フレームの受信からの全体的な処理フローを示した図である。
【図５】  受信したフレーム内のコマンド情報及び、パラメタ情報からリモートコピー要否を解析するフローを示した図である。
【図６】  デバイスレベルのフレームフォーマットとヘッダ変換処理で変換対象となる情報を示した図である。
【図７】  本発明を適用した時のＣＰＵとＭＣＵ間の動作シーケンス及び、ＭＣＵからＲＣＵ側へのデータ転送タイミングと動作シーケンスを示す図である。
【符号の説明】
１０１・・・中央処理装置（ＣＰＵ）
１０２・・・マスタ側ディスク制御装置（ＭＣＵ）
１０３・・・マスタ側のディスク駆動装置
１０４・・・リモート側ディスク制御装置（ＲＣＵ）
１０５・・・リモート側のディスク駆動装置
１０６・・・ディレクタ装置
１０７・・・ＣＰＵとディレクタ装置間を接続するファイバーケーブル
１０８・・・ディレクタ装置とＭＣＵ間を接続するファイバーケーブル
１０９・・・ディレクタ装置とＲＣＵを接続するファイバーケーブル
１１１・・・受信バッファ
１１２・・・送信バッファ
１１３・・・内部バッファ
１１４・・・ＣＡＣＨＥ
１１５・・・ファイバープロトコル制御部
１１６・・・チャネルアダプタ制御部
１１７・・・ディスクアダプタ制御部。